(57)【要約】【課題】本発明は、混合機の回転軸に混合物が付着するのを防止するための器具に関するもので、いろいろなアーム間隔になされた混合機のすべての混合軸を完全に付着から守るために、アームからアームまでの全範囲を移動させる付着防止器具を提供することを目的とする。【解決手段】混合機の回転軸に係合するリング状の本体と、該本体の内周面に回転軸と接触する摺動部を備え、前記本体の両側面に摺動部の周方向に対し角度αからなる当接面を有する方向変換手段を備えていること。【選択図】        図１
2004290864.tif 000002
【特許請求の範囲】
【請求項１】
混合機の回転軸に係合するリング状の本体と、該本体の内周面に回転軸と接触する摺動部を備え、前記本体の両側面に摺動部の周方向に対し角度αからなる当接面を有する方向変換手段を備えていることを特徴とする混合機用付着防止器具。
【請求項２】
前記方向変換手段が、本体の両側面へ対称に設けられていることを特徴とする請求項１記載の混合機用付着防止器具。
【請求項３】
前記方向変換手段が、本体の側面から突出して複数個設けられていることを特徴とする請求項１記載の混合機用付着防止器具。
【発明の詳細な説明】
【０００１】
【発明の属する技術分野】
本発明は、混合機の回転軸に混合物が付着するのを防止するための器具に関するものである。
【０００２】
【従来の技術】
混合機の回転軸に付着する混合物を防止する器具としては、例えばコンクリートミキサーに関する特許文献１には、回転軸に係合した清掃リングを不均一に回転させて攪拌軸の清掃効果を高め、且つ、清掃リングを水平方向で左右に揺動させて清掃範囲を広範囲にするために、回転軸の回転に伴って水平方向で左右に揺動しながら追従移動する揺動回転手段を設けた回転軸の清掃リングが記載されている（特許文献１参照。）。
【０００３】
【特許文献１】特開２００２−３６２２９号公報
【０００４】
【発明が解決しようとする課題】
混合機の回転軸には、通常複数のアームが設けられその先端に混合物を混合するブレードが取り付けられている。これら複数のアームの取り付け間隔は、混合機の容量、混合物などによって異なるのが普通であり、また、製造会社によってアームの形状等も大きく異なっている。
このようにいろいろなアーム間隔になされた混合機のすべての混合軸を完全に付着から守る必要があるが、前述の特許文献１の清掃リングでは、水平方向へ向けて一定量の移動量、例えば、Ｚ（リングの横幅に相当するもの）が設定されているだけである。
本発明は、このような問題点に鑑みてなされたものであって、アームからアームまでの全範囲を移動させる付着防止器具を提供することを目的とする。
【０００５】
【課題を解決するための手段】
本発明は、混合機の回転軸に係合するリング状の本体と、該本体の内周面に回転軸と接触する摺動部を備え、前記本体の両側面に摺動部の周方向に対し角度αからなる当接面を有する方向変換手段を備えていることを特徴とする混合機用付着防止器具である。
【０００６】
【発明の実施の形態】
本発明は、混合機の回転軸に混合物が付着するのを防止するために、回転軸から突出するアームの間隔の全範囲を移動させる付着防止器具であって、回転軸に係合する本体の両側面がアームに接近し、当接する際に回転軸に対して本体の向きを変える方向変換手段を備えていることを特徴としている。この方向変換手段は、いわゆる車のタイヤの方向を変えて車の進行方向を変えるに相当するものであり、本体の両側面に本体が回転軸と接触する摺動部に対して周方向へ向けて角度αからなる当接面を有しており、当接面の先端がアームに当接即ち衝突すると本体は反対の方向へ傾く力が発生し、これを繰り返すうちに回転軸の回転に伴って回転する当接面が徐々にアームに対して倣う、即ち、当接面が回転軸に対してほぼ直角な状態となり本体は回転軸に対して移動してきた方向と反対向きに角度αだけ傾くことになる。この状態になると、本体は回転軸の回転に伴ってアームから遠ざかる方向に向けて移動することができるのである。
【０００７】
【実施例１】
図面を用いて実施例１の説明をする。
図１は実施例１の付着防止器具５０を示す斜視図、図２はその正面図、図３は右側面図、図４は図２のＡ−Ａ端面図である。
付着防止器具５０は、リング状に形成されリング部分の断面が略四角形になされる本体１と、本体１の内周面である混合機の回転軸に接触する摺動部２と、本体１の両側面に備える方向変換手段４から構成されている。
本体１は、従来のように回転軸に係合させるために２分割する接合部５を備え、ボルト６によって分割を自在にされている。
方向変換手段４は、本体１の両側面に突出して複数個設けられており、摺動部２の周方向へ向けて角度αからなる当接面７を備えている。本実施例において方向変換手段４は、片面に３箇所設けられており、薄肉部分１０から厚肉部分１１へと角度αになされる当接面７が各々備えられている。
【０００８】
次に図５から図８を用いて作用を説明する。図５から図８は混合機の回転軸３に付着防止器具５０が係合している部分平面図である。
回転軸３は、矢印Ｚの方向へ回転し、回転軸３から突出するアーム８Ａとアーム８Ｂが設けられ、この２つのアームの間に付着防止器具５０が係合されている。
図５に示す様に、付着防止器具５０の本体１が回転軸３に対して右側へ傾いており、回転軸の回転と共に本体１の摺動部２が回転軸３と接触し滑りながら回転するためアーム８Ａ側へ移動する。
【０００９】
図６でアーム８Ａ側に移動した付着防止器具５０は、本体１の側面から突出する方向変換手段４Ａがアーム８Ａにまず当接する。すると付着防止手段５０はその衝撃によって矢印Ｙに示すような左側へ傾く力が発生し、本体１が回転軸３に対して徐々に直角な状態に近づく。ほぼ直角な状態では付着防止手段５０はどちらの方向へ向けても移動することはない。
このようにアーム８Ａと方向変換手段４Ａが時折当接する状態を続けると図７に示す様に方向変換手段４Ａの当接面７が徐々にアーム８Ａに当接するようになり、本体１は左側へ向けて本体１の摺動部２と方向変換手段４Ａの角度αだけ傾くことになる。尚、本実施例において角度αは７度に成されている。
このように左側へ向けて傾くと、図８に示す様に回転軸３の回転と共に左側へ移動する。この時、付着防止器具５０の摺動部２と回転軸３の接触によって、回転軸３に付着する混合物は摩擦によって取り去られることになる。
【００１０】
付着防止器具５０が左側に移動し、方向変換手段４Ｂが左側のアーム８Ｂに当接する。しかるに、前述した右側へ移動したと反対方向の動きによって、付着防止器具５０は再び右側へと移動することになる。
このように付着防止器具５０は、アーム８Ａとアーム８Ｂの間の全範囲を移動することになり、回転軸３の付着物を皆無にすることができる。
本実施例においては、方向変換手段４Ａ、４Ｂが本体の両側面に各々３個設けられており、アームとの当接を繰り返し易くなされており、付着防止器具５０の方向変換をスムースに行なうことができるのである。
【００１１】
また、方向変換手段４Ａ、４Ｂは、本体１を挟んで薄肉の部分と厚肉の部分が対称に配設されているが、厚肉部分１１、または薄肉部分１０を周方向へ向けて６０度ずらして配設すれば回転バランスの優れた構成になり、摺動部２の磨耗を均一にすることができ付着防止器具５０の寿命を長くすることができる。
さらに、方向変換手段に設ける角度αは、角度を変えてのテストの結果、角度αは、５度から１５度の範囲が望ましいことが解った。
【００１２】
【実施例２】
図９は、実施例２の付着防止器具６０を示す斜視図、図１０はその正面図、図１１は図１０のＢ―Ｂ断面図、図１２は付着防止器具６０の移動状態を示す部分平面図である。
付着防止器具６０は、本体１の両側に設ける方向変換手段４Ｃ、４Ｄが各々１個設けられ、薄肉部分１０と厚肉部分１１が各々１ヶ所形成されている。本実施例においても、方向変換手段４Ｃ、４Ｄの厚肉部分１１，１１がまずアーム８Ａに当接し、その衝撃によって反対方向へ傾く力が発生する（図１２参照）。この際、方向変換手段４Ｃ、４Ｄは、アーム側へ近づこうとする側に薄肉部分１０が位置することから付着防止器具６０の方向変換が、よりスムースに行われることになる。方向変換手段４Ｃ、４Ｄの角度αは、５度に設定されている。
尚、本実施例においても実施例１と同様に、本体を挟んで対称な位置に肉厚部分を形成したが、厚肉部分１１、または薄肉部分１０を周方向へ向けて１８０度ずらして配設すれば回転バランスの優れた構成になり、摺動部２の磨耗を均一にすることができ付着防止器具６０の寿命を長くすることができる。
【００１３】
【発明の効果】
如上の構成に成されており、付着防止器具は、任意の間隔の成された回転軸のアームとアームの間を常に行き来することができ、回転軸の全範囲にわたって混合物の付着を防止することができる。
【図面の簡単な説明】
【図１】実施例１の付着防止器具５０を示す斜視図。
【図２】図１の正面図。
【図３】図１の右側面図。
【図４】図２のＡ−Ａ端面図。
【図５】付着防止器具の移動状態を示す部分平面図。
【図６】付着防止器具の移動状態を示す部分平面図。
【図７】付着防止器具の移動状態を示す部分平面図。
【図８】付着防止器具の移動状態を示す部分平面図。
【図９】実施例２の付着防止器具６０を示す斜視図。
【図１０】図９の正面図。
【図１１】図１０のＢ−Ｂ断面図。
【図１２】実施例２の付着防止器具６０の移動状態を示す部分平面図。
【符号の説明】
１    本体
２    摺動部
３    回転軸
４、４Ａ、４Ｂ、４Ｃ、４Ｄ    方向変換手段
７    当接面
８Ａ、８Ｂ    アーム
１０    薄肉部分
１１    厚肉部分
【図１】
2004290864.tif 000003
【図２】
2004290864.tif 000004
【図３】
2004290864.tif 000005
【図４】
2004290864.tif 000006
【図５】
2004290864.tif 000007
【図６】
2004290864.tif 000008
【図７】
2004290864.tif 000009
【図８】
2004290864.tif 000010
【図９】
2004290864.tif 000011
【図１０】
2004290864.tif 000012
【図１１】
2004290864.tif 000013
【図１２】
2004290864.tif 000014